(57)【要約】【課題】  クリーンなエネルギーを得ると共に多大なＣＯ２削減効果をもたらし地球温暖化防止に役立つインフラ総合設備機器施設を目的したものであるで。 森林資源の新たな活用分野が開かれ、荒廃している森林再生事業に貢献でき新規産業と雇用の拡大、貢献する。特に地方の山間地等のインフラ整備に莫大な費用の削減に繋がる事業でもあり、地球温暖化防止、ＣＯ２削減に寄与するものである。ウス建設業などの分野に新規事業立ち上げも含め新たなる雇用の促進に貢献できる。【解決手段】上記課題を解決するため、従来に無い手法で（スリーウエイ方式）で発電する方法で、地球にやさしい森林のサイクル利用で多大なＣＯ２削減と、エコエネルギーが利用できる（エコハウス型、垂直軸風力発電機） 設備である。【選択図】      図１
2010242636.tif 000002
【特許請求の範囲】
【請求項１】
この設備は外周を（風向調整板翼を取り付けたパネル）で構成し、中心に回転シャフトを取り付け、シャフトに腕木を付けその先端に風受け翼を取り付けた建築物である。外周に風向調整翼板を木材、鉄、アルミ、ＦＲＰ，などあらゆる素材で出来る（固定、動式パネル）を取り付け、風力を回転装置の先端翼に集めることで風力の高トルク活用にした装置である（回転翼中心部付近に当たる風向を変え回転シャフトに取り付けた先端翼に無駄なくなく伝え風力のロス最大限を防ぐ事とした）。また、この風力調整翼板が回転翼に抵抗となる風力の全てを防ぐ役目も果たす装置である（試作品で証明済みです）。この建物の中心シャフトに生まれた回転を連結ギャーを使い回転を増幅させ発電モーターを高回転で回し発電するものである。
(図１）
【請求項２】
風向調整板翼パネルを構成している調整板翼の風流入口側の調整翼板小口断面を図の様に加工し風がスムースに通過できることで、約２割〜３割の風力量の流入増加を図ることとした。
図４〜１、２）
【請求項３】
今までの風力発電機は無風、微風時には発電が停止する事が多かったが、この装置は、無風、微風時にはガソリン、軽油、バイオジィーゼルエンジン等を作動させ発電し、風車が高回転達した時点でエンジンを停止し風車の慣性を利用して発電を継続させる、風車の回転が落ち発電不能状態になたらエンジン再稼働の繰り返しで発電を継続するしくみです。
（図６）
【請求項４】
強風時には第二発電モーターに連結し発電しより多くのエネルギーを得る事が出来る
（図６）
【請求項５】
雨水を活用した設備も併設、生活用水確保する設備（浄水器など）する事でＣＯ２削減効果の大きなインフラ総合設備機器施設を目的したものであるで。
（図７）
【請求項６】
太陽光発電と併用で、環境（送電設備等）が許せば余剰電力の売電ができる。
【請求項７】
Ｏ２削減に貢献する発電装置です（ＣＯ２削減を森林育成で発電装置でバイオチップとして再利用、ＣＯ２を３度削減出来る装置）である。
【発明の詳細な説明】
【技術分野】
【０００１】
本発明は森林資源を活用したエコ発電機かんするものである。           
【背景技術】
【０００２】
今までの風力発電機は無風、微風時には発電が停止する事が多かった。
１）森林資源を活用したエコ発電装置。
２）庭先、ビルの屋上、住宅の置屋根、野池の湖上、海上、畑の隅など、何処でも設置が可能である。
３）現在、多く市販されている風車型に比べ騒音が非常に少ない（ほとんど無い）。
４）森林事業の短期サイクル（２０年）以内での利用と間伐材を利用促進。
５）自然にやさしくハウスの部品（風向調整翼板）などを短期交換し出た廃材をバイオチップとして再利用する方式を採用し、資源としての高効率活用する事が出来る。ＣＯ２削減に貢献する発電装置です（ＣＯ２削減を森林育成で発電装置でバイオチップで利用しＣＯ２を３度削減出来る装置である）
６）木材主体で建設すると、森林、製材業の復活と設備、加工、建設事業の場で雇用の促進に寄与する。
７）発電した電力をバッテリーに蓄電し、太陽光発電と併用で生活に利用し余剰電力を温水器の保温、加熱に利用し、環境（送電設備等）が許せば売電が出来る。
６）発電用モーターの増産に寄与。
７）蓄電用バッテリー増産の寄与。
８）天水を水槽に確保し植木、草花、家庭菜園の散水に利用し、浄水器、温水器、併設で生活用水として活用する。。
９）上記施設建設で、山間地などの不効率なインフラ設備が不要になり、多大なＣＯ２削減に寄与する事ができる。
【発明の概要】
【発明が解決しようとする課題】
【０００３】
１）森林資源を活用したエコ発電装置開発する。
２）庭先、ビルの屋上、住宅の置屋根、野池の湖上、海上、畑の隅など、何処でも設置が可能である。
３）現在、多く市販されている風車型に比べ騒音が非常に少ない（ほとんど無い）。
４）森林事業の短期サイクル（２０年）以内での利用と間伐材を利用促進。、
５）自然にやさしくハウスの部品（風向調整翼板）などを短期交換し出た廃材をバイオチップとして再利用する方式を採用し、資源としての高効率活用する事が出来る。ＣＯ２削減に貢献する発電装置です（ＣＯ２削減を森林育成で発電装置でバイオチップで利用しＣＯ２を３度削減出来る装置である）
６）木材主体で建設すると、森林、製材業の復活と設備、加工、建設事業の場で雇用の促進に寄与する。
７）発電した電力をバッテリーに蓄電し、太陽光発電と併用で生活に利用し余剰電力を温水器の保温、加熱に利用し、環境（送電設備等）が許せば売電が出来る。
６）発電用モーターの増産に寄与。
７）蓄電用バッテリー増産の寄与。
８）天水を水槽に確保し植木、草花、家庭菜園の散水に利用し、浄水器、温水器、併設で生活用水として活用する。
９）上記施設建設で、山間地などの不効率なインフラ設備が不要になり、多大なＣＯ２削減に寄与する事ができる。
【課題を解決するための手段】
【０００４】
上記課題を解決するため、従来に無い手法で（スリーウエイ方式）で発電する
方法で、地球にやさしい森林のサイクル利用で多大なＣＯ２削減と、エコエネ
ルギーが利用できる（エコハウス型、垂直軸風力発電機） 設備である。
【発明の効果】
【０００５】
今までの風力発電装置は微風時と強風時の発電が停止する事が多かったが、この装置は、微風時は風車の慣性を活用し発電し、強風時には併設の第二発電モーター稼働させ風力を無駄なく利用し高効率発電が可能にしたものであり、この発電ハウスは発電だけでなく、ＣＯ２削減に寄与する事が出来る、また、さまざまな設備を併設すると、規模にもよるが、送電設備や水道設備などインフラ整備費用の削減につながる設備となる。また、建設資材が木材の場合、森林産業（植林、伐採、育成）と製材産業と木材加産業にエコハウス建設業などの分野に新規事業立ち上げも含め新たなる雇用の促進に貢献できる。そしてすでに開発されている、発電用モーターとバッテリー（両分野共まだ研究開発の余地があるが）の新たな利用分野が開かれその分野の業界の活性化にもつながる事となり、これからのこの地球に求められているエコ社会に大きく貢献できる発明である。
【図面の簡単な説明】
【０００６】
【図１】設備側面図。
【図２】上部より回転翼と風向調整板翼設置図。
【図３】風向板翼パネル正面図。
【図４】風向板翼パネル正面図。４〜１，２）風向調整板翼の風入流口側の風向調整板翼小口の加工図。
【図５】風向板翼での風車翼に対する  風向の変化図。
【図６】風車回転シャフトＮＯ１４よりＮＯ１２のギャーボックスでＮＯ１１，１５の発電モーターに連結、さらにＮＯ１３のエンジンもギャーボックスと連結する各連結部には特殊連結装置が付く。
【図７】施設屋根に太陽光発電装置、と太陽光温水器を取り付け、さらなるエコエネルギーの活用を図る、天水をろ過しタンクに貯め、生活用水として活用し、浄水器を設置し飲料水としても利用する。
【発明を実施するための形態】
【０００７】
この設備は外周（風向調整板翼４−１−２を取り付けたパネル）３で構成し、中心に回転シャフト１４を取り付け、シャフトに腕木を付けその先端に風受け翼１９を取り付けた建築物である。外周に風向調整翼板を木材、鉄、アルミ、ＦＲＰ，などの素材で出来る（固定、動式）を取り付け、風力を回転装置の先端翼１９に集めること５で風力の高活用７にした装置である（回転翼中心部付近に当たる風力はテストの結果、余り強い回転力にならないのでそれを風向調整板で風向を変え回転シャフトに取り付けた先端翼に無駄なくなく風力を伝え風力のロスを防ぐ事とした）。
【０００８】
また、あらゆる方向からの風力の半分は回転風車に対し抵抗となります、ここの抵抗となる風力を風力調整翼板６で全てを防ぐ役目も果たす装置である（試作品で証明済みです）。
この建物の中心シャフトに生まれた回転を連結ギャー１２を使い回転を増幅させ発電モーターを高回転で回し発電するものである。
【０００９】
風向調整板翼パネルを構成している調整板翼の風流入口側の調整翼板小口断面を図の様に加工４−１．２し風がスムースに通過できることで、約２割〜３割の風力量の流入量増加を図ることができ、風車の回転トルクが上がりより高効率発電効果が得られる（パネル１枚に付き１０枚の風向調整板翼で巾１ｃｍで合計１０ｃｍ高さ２ｍの風入量が遮られることになる、風向によるがパネル３枚分の風量３０ｃｍＸ２ｍの増量なる）この増量分回転トルクに大いに寄与する。
【００１０】
風向調整翼板パネルは２段、３段、と重ねて建設しより多くの発電ができる設計されている。  
【００１１】
パネル交換で外周のメンテナンスを簡単に実行しやすくした。
【００１２】
風力調整翼板交換を調整翼板の角度に合わせ加工した木製パッキンをビスで固定することで交換を簡単にすることとした。
【００１３】
今までの風力発電機は微風時と強風時の発電が停止する事が多かったが、この装置は、無風、微風時はガソリン、軽油、バイオジィーゼルエンジン１３等を作動させ発電し、風車が高回転達した時点でエンジン停止し風車の慣性（回転惰力）を利用して発電を継続させる、風車の回転が落ち発電不能状態の場合はエンジン再稼働の繰り返しでさらなる発電を継続する、）。
【００１４】
また強風時には併設の第二発電モーター稼働１１させ風力を無駄なく利用し高効率
発電が可能にしたものである。
【００１５】
設備の屋根に太陽光発電、太陽光温水器を併設しさらなるクリーンエネルギー活用を併用する事も出来る施設である。
雨水を活用した設備を併設すれば、生活用水確保する設備（浄水器など）する事ができる、ＣＯ２削減効果の大きなインフラ総合設備機器施設を目的したものであるで。
【符号の説明】
【００１６】
１建物側面図
２風車と風向板翼パネル１２枚の取り付け図
３風向調整板翼の側面図
４風向調整板翼パネルの風向調整板翼取り付け図（この取り付け角度で風向が回転翼先端に集まるよう調整している）。
４〜１，２風向調整板翼の風入流口側の風向調整板翼小口の加工図。
５が示す風向を風向調整板翼で風向を変えＮＯ７回転翼先端に集め、より高トルクを得るようにした。
６この位置よりの風向調整板翼にあたる風が風車内に入るのを防ぐ役目を果たす装置になり、風車の回転の妨げになる風を防ぐ。
８風車のシャフト。
９風車の腕木。
１０回転腕木の取り付けた先端翼。
１１発電モーター（通常発電用）。
１２ギャーボックス。
１３緊急時発電エンジン。
１４風車シャフトに連結のシャフト。
１５強風時と緊急時作動の発電用モーター。
１６貯水タンク（ろ過機付き）。
１７太陽光発電、太陽熱温水器（単独又は併設）。
１８余剰電力利用の温水器。
１９回転シャフト腕木に取り付けた先端部の風受け翼。
２０配電、売電併用機器。
２１売電用配線。
２２バッテリー（蓄電用）。
２３配線図。
【図１】
2010242636.tif 000003
【図２】
2010242636.tif 000004
【図３】
2010242636.tif 000005
【図４】
2010242636.tif 000006
【図５】
2010242636.tif 000007
【図６】
2010242636.tif 000008
【図７】
2010242636.tif 000009